(57)【要約】  スクロール圧縮機の固定スクロールの第１台板には、冷媒吸入室へ冷媒を供給するインジェクション通路が形成され、インジェクション通路は、冷媒吸入室に開口しており、直線状に延びている出口通路を有し、出口通路の延長上には、冷媒圧縮室が配置されている。
2019150421.tif 000002
【特許請求の範囲】
【請求項１】
密閉容器と、
冷媒圧縮室と前記冷媒圧縮室よりも冷媒の流れ方向の上流側に設けられている冷媒吸入室とが形成され、前記密閉容器内に設けられている圧縮機構部と、
を備え、
前記圧縮機構部は、
前記冷媒圧縮室の冷媒が流入する吐出通路が形成されている第１台板と、前記第１台板に設けられている第１渦巻体とを有する固定スクロールと、
前記第１台板に間隔をあけて設けられている第２台板と、前記第２台板に設けられ、前記第１渦巻体との間に前記冷媒圧縮室を形成する第２渦巻体とを有する揺動スクロールとを備え、
前記第１台板には、前記冷媒吸入室へ冷媒を供給するインジェクション通路が形成され、
前記インジェクション通路は、前記冷媒吸入室に開口しており、直線状に延びている出口通路を有し、
前記出口通路の延長上には、前記冷媒圧縮室が配置されている
スクロール圧縮機。
【請求項２】
前記出口通路の延長上には、前記第１渦巻体又は前記第２渦巻体が配置されている
請求項１に記載のスクロール圧縮機。
【請求項３】
前記第１台板は、前記冷媒吸入室に面している下面部を有し、
前記下面部には、前記出口通路に繋がっている開口部が形成され、
前記第２渦巻体が前記開口部に最も近づいた状態において、前記開口部の全体は、前記第２渦巻体の外側に配置されている
請求項１又は２に記載のスクロール圧縮機。
【請求項４】
前記出口通路は、前記冷媒吸入室に開口しており、直線状に延びている第１出口通路と、前記冷媒吸入室に開口しており、直線状に延びている第２出口通路とを有し、
前記第１渦巻体は、前記冷媒吸入室と前記冷媒圧縮室とを隔てている第１壁面部を有し、
前記第２渦巻体は、前記冷媒吸入室と前記冷媒圧縮室とを隔てている第２壁面部を有し、
前記第１出口通路の延長上には、前記第２壁面部が配置され、
前記第２出口通路の延長上には、前記第１壁面部が配置されている
請求項１〜請求項３の何れか一項に記載のスクロール圧縮機。
【請求項５】
前記冷媒圧縮室は、前記冷媒吸入室の冷媒が前記冷媒圧縮室へ流入するときに通過する第１入口と、前記冷媒吸入室の冷媒が前記冷媒圧縮室へ流入するときに通過する第２入口とを有し、
前記第１壁面部は、前記第２渦巻体との間に前記第１入口を形成する第１外側端部を有し、
前記第２壁面部は、前記第１渦巻体との間に前記第２入口を形成する第２外側端部を有し、
前記第１出口通路は、前記第１入口に向いており、
前記第２出口通路は、前記第２入口に向いている
請求項４に記載のスクロール圧縮機。
【請求項６】
前記出口通路は、前記冷媒吸入室に開口しており、直線状に延びている第１出口通路と、前記冷媒吸入室に開口しており、直線状に延びている第２出口通路とを有し、
前記冷媒圧縮室は、前記冷媒吸入室の冷媒が前記冷媒圧縮室へ流入するときに通過する第１入口と、前記冷媒吸入室の冷媒が前記冷媒圧縮室へ流入するときに通過する第２入口とを有し、
前記第１渦巻体は、前記冷媒吸入室と前記冷媒圧縮室とを隔てている第１壁面部を有し、
前記第１壁面部は、前記第２渦巻体との間に前記第１入口を形成する第１外側端部を有し、
前記第２渦巻体は、前記冷媒吸入室と前記冷媒圧縮室とを隔てている第２壁面部を有し、
前記第２壁面部は、前記第１渦巻体との間に前記第２入口を形成する第２外側端部を有し、
前記第１出口通路は、前記第１入口に向いており、
前記第２出口通路は、前記第２入口に向いている
請求項１〜請求項３の何れか一項に記載のスクロール圧縮機。
【請求項７】
前記出口通路は、前記冷媒吸入室に開口しており、直線状に延びている第１出口通路と、前記冷媒吸入室に開口しており、直線状に延びている第２出口通路とを有し、
前記冷媒圧縮室は、前記冷媒吸入室の冷媒が前記冷媒圧縮室へ流入するときに通過する第１入口と、前記冷媒吸入室の冷媒が前記冷媒圧縮室へ流入するときに通過する第２入口とを有し、
前記第１渦巻体は、前記冷媒吸入室と前記冷媒圧縮室とを隔てている第１壁面部を有し、
前記第１壁面部は、前記第２渦巻体との間に前記第１入口を形成する第１外側端部を有し、
前記第２渦巻体は、前記冷媒吸入室と前記冷媒圧縮室とを隔てている第２壁面部を有し、
前記第２壁面部は、前記第１渦巻体との間に前記第２入口を形成する第２外側端部を有し、
前記第１出口通路の延長上には、前記冷媒圧縮室の前記第１入口が配置され、
前記第２出口通路の延長上には、前記冷媒圧縮室の前記第２入口が配置されている
請求項１〜請求項３の何れか一項に記載のスクロール圧縮機。
【請求項８】
前記密閉容器に挿入されているインジェクション配管を更に備え、
前記インジェクション通路は、前記インジェクション配管に繋がっている入口通路と、上流端が前記入口通路に繋がっており、下流端が前記第１出口通路に繋がっている第１分岐通路と、上流端が前記入口通路に繋がっており、下流端が前記第２出口通路に繋がっている第２分岐通路とを更に有している
請求項４に記載のスクロール圧縮機。
【請求項９】
前記第１分岐通路の上流端及び前記第２分岐通路の上流端は、前記入口通路の下流端に繋がっており、
前記第１分岐通路の長さと前記第２分岐通路の長さとは同じであり、
前記第１出口通路の長さと前記第２出口通路の長さとは同じである
請求項８に記載のスクロール圧縮機。
【発明の詳細な説明】
【技術分野】
【０００１】
本発明は、スクロール圧縮機に関し、特に、インジェクション通路を有している圧縮機構部を備えているスクロール圧縮機に関するものである。
【背景技術】
【０００２】
従来、固定子及び回転子を有する電動機構部と、回転子に挿入されているシャフトと、シャフトの端部に設けられている揺動スクロール及び揺動スクロールに組み合わせられている固定スクロールを有する圧縮機構部と、を備えたスクロール圧縮機が提案されている（例えば、特許文献１参照）。なお、圧縮機構部には、固定スクロールの渦巻体と揺動スクロールの渦巻体との間に形成される冷媒圧縮室と、冷媒圧縮室よりも冷媒の流れ方向の上流側に設けられている冷媒吸入室と、が形成されている。特許文献１のスクロール圧縮機において、冷媒吸入室は冷媒圧縮室の外側に配置されている。【０００３】
特許文献１のスクロール圧縮機の固定スクロールには、冷媒圧縮室に開口しているインジェクションポートが形成されている。冷媒がインジェクションポートから冷媒圧縮室へ供給されることで、スクロール圧縮機の冷媒の吐出温度が低下する。
【先行技術文献】
【特許文献】
【０００４】
【特許文献１】特開平１０−３３９２８３号公報
【発明の概要】
【発明が解決しようとする課題】
【０００５】
特許文献１に係るスクロール圧縮機において、インジェクションポートから冷媒圧縮室へ供給された液冷媒は、冷媒圧縮室で膨張する。インジェクションポートから冷媒圧縮室へ供給された冷媒が膨張すると、その分、冷媒圧縮室の冷媒の圧力が上昇することになる。これにより、揺動スクロールの渦巻体には冷媒圧縮室の冷媒の圧力が上昇した分だけより大きな力が加わることになり、揺動スクロールの動きが揺動スクロールの渦巻体に加わる力によって妨げられることになる。したがって、インジェクションポートから冷媒圧縮室へ供給される冷媒が膨張すると、揺動スクロールの動きが揺動スクロールの渦巻体に加わる力によって妨げられ、その結果、スクロール圧縮機の圧縮機効率が低下する。【０００６】
本発明は、上記のような課題を解決するためになされたもので、冷媒圧縮室の圧力の上昇を抑制することによって圧縮機効率を向上することができるスクロール圧縮機を提供することを目的としている。
【課題を解決するための手段】
【０００７】
本発明に係るスクロール圧縮機は、密閉容器と、冷媒圧縮室と冷媒圧縮室よりも冷媒の流れ方向の上流側に設けられている冷媒吸入室とが形成され、密閉容器内に設けられている圧縮機構部と、を備え、圧縮機構部は、冷媒圧縮室の冷媒が流入する吐出通路が形成されている第１台板と、第１台板に設けられている第１渦巻体とを有する固定スクロールと、第１台板に間隔をあけて設けられている第２台板と、第２台板に設けられ、第１渦巻体との間に冷媒圧縮室を形成する第２渦巻体とを有する揺動スクロールとを備え、第１台板には、冷媒吸入室へ冷媒を供給するインジェクション通路が形成され、インジェクション通路は、冷媒吸入室に開口しており、直線状に延びている出口通路を有し、出口通路の延長上には、冷媒圧縮室が配置されている。
【発明の効果】
【０００８】
本発明によれば、冷媒吸入室へ冷媒を供給するインジェクション通路が形成されているため、冷媒圧縮室の圧力の上昇が抑制され、その結果、圧縮機効率が向上する。
【図面の簡単な説明】
【０００９】
【図１】実施の形態１に係るスクロール圧縮機１００を備えた冷凍サイクル装置２００の概要構成図である。
【図２】実施の形態１に係るスクロール圧縮機１００の断面図である。
【図３】図２に示す圧縮機構部Ｃｍの拡大図である。
【図４】固定スクロール１の斜視図である。
【図５】揺動スクロール２の斜視図である。
【図６】図３に示すＢ−Ｂ断面図である。
【図７】固定スクロール１を第１台板１Ｂの上面部１Ｂ１側から見た図である。
【図８】固定スクロール１を第１台板１Ｂの下面部１Ｂ２側から見た図である。
【図９】図８に示すＣ−Ｃ断面図である。
【図１０】図８に示すＤ−Ｄ断面図である。
【図１１】インジェクション通路１Ｅ及び吐出通路１Ｄの斜視図である。
【図１２】インジェクション通路１Ｅ及び吐出通路１Ｄを固定スクロール１の第１台板１Ｂの上面部１Ｂ１側から見た図である。
【図１３】図２に示すＡ−Ａ断面図である。
【図１４】図６に示す仮想線Ｌ１における圧縮機構部Ｃｍの断面図である。
【図１５】図１４に示す第１出口通路１Ｅ３ａの説明図である。
【図１６】第２渦巻体２Ａが、第１出口通路１Ｅ３ａの開口部Ｏｐ１から最も遠ざかった状態の説明図である。
【図１７】第２渦巻体２Ａが、第１出口通路１Ｅ３ａの開口部Ｏｐ１に最も近づいた状態の説明図である。
【図１８】図１４に示す第２出口通路１Ｅ３ｂの説明図である。
【図１９】第１渦巻体１Ａの第１外側端部１Ａ１と第２渦巻体２Ａとが離間し、且つ、第２渦巻体２Ａの第２外側端部２Ａ１と第１渦巻体１Ａとが離間している様子を模式的に示している。
【図２０】第２渦巻体２Ａが図１９に示す位置から移動した様子を模式的に示している。
【図２１】第１渦巻体１Ａの第１外側端部１Ａ１と第２渦巻体２Ａとが当接し、且つ、第２渦巻体２Ａの第２外側端部２Ａ１と第１渦巻体１Ａとが当接している様子を模式的に示している。
【図２２】第２渦巻体２Ａが図２１に示す位置から移動した様子を模式的に示している。
【図２３】実施の形態２に係るスクロール圧縮機１２０の断面図である。
【図２４】開口部Ｏｐａ及び開口部Ｏｐｂの配置の説明図である。
【図２５】図２３に示すＥ−Ｅ断面図である。
【図２６】インジェクション通路１ＥＥ、吐出通路２１Ｄ及び凹状部２２Ｄの斜視図である。
【図２７】インジェクション通路１ＥＥ、吐出通路１Ｄ及び凹状部２２Ｄを上側から見た図である。
【図２８】第２渦巻体２Ａの第２外側端部２Ａ１と第１渦巻体１Ａとが離間している様子を模式的に示している。
【発明を実施するための形態】
【００１０】
実施の形態１．
以下、図面を参照しながら実施の形態１について説明する。なお、以下の図面では各構成部材の大きさの関係が実際のものとは異なる場合がある。明細書全文に表わされている構成要素の形態は、あくまでも例示であって、これらの記載に限定されるものではない。
【００１１】
＜実施の形態１の構成＞
図１は、実施の形態１に係るスクロール圧縮機１００を備えた冷凍サイクル装置２００の概要構成図である。図１に基づいて、冷凍サイクル装置２００の構成について説明する。冷凍サイクル装置２００は、冷媒を圧縮するスクロール圧縮機１００と、冷媒を液化する凝縮器１０１と、冷媒を減圧させる絞り装置１０２と、冷媒を気化する蒸発器１０３とを備えている。また、冷凍サイクル装置２００は、凝縮器１０１へ空気を供給する送風機１０１Ａと、蒸発器１０３へ空気を供給する送風機１０３Ａとを備えている。また、冷凍サイクル装置２００は、凝縮器１０１の冷媒流れ方向の下流側であって絞り装置１０２の冷媒流れ方向の上流側に設けられている熱交換器１０４と、熱交換器１０４へ供給する冷媒を減圧させる絞り装置１０５とを備えている。更に、冷凍サイクル装置２００はスクロール圧縮機１００の回転数、絞り装置１０２及び絞り装置１０５の開度、送風機１０１Ａの回転数及び送風機１０３Ａの回転数を制御する制御装置Ｃｎｔを備えている。制御装置Ｃｎｔは、絞り装置１０５を開くことでスクロール圧縮機１００へ冷媒を供給するインジェクション制御を実行することができる。
【００１２】
図２は、実施の形態１に係るスクロール圧縮機１００の断面図である。図３は、図２に示す圧縮機構部Ｃｍの拡大図である。図２、３に基づいて、スクロール圧縮機１００の構成について説明する。スクロール圧縮機１００は、冷媒を圧縮することで、冷媒の圧力及び冷媒の温度を上昇させる。スクロール圧縮機１００は、スクロール圧縮機１００の外郭を構成している密閉容器５０と、密閉容器５０に固定されているステータＥ３１及び回転自在に設けられているロータＥ３２を有している駆動機構部Ｅｍと、を備えている。また、スクロール圧縮機１００は、固定スクロール１及び揺動スクロール２を有している圧縮機構部Ｃｍと、揺動スクロール２を収容しているフレーム３と、ロータＥ３２に固定されているシャフト４と、を備えている。シャフト４は、シャフト４の上端部に設けられている偏芯軸部４Ａを有している。偏芯軸部４Ａの中心軸は、シャフト４のうちロータＥ３２が挿入されている部分の中心軸に対して、ずれている。また、スクロール圧縮機１００は、フレーム３とシャフト４との間に設けられているスリーブ３ＡＡと、シャフト４の偏芯軸部４Ａに設けられている筒状のスライダ４Ｂと、を備えている。また、スクロール圧縮機１００は、密閉容器５０内に冷媒を導く吸入管２１と、圧縮機構部Ｃｍで圧縮した冷媒を密閉容器５０内から密閉容器５０外へ導く吐出管２２と、図１で説明した熱交換器１０４に繋がっており、熱交換器１０４で熱交換した冷媒を圧縮機構部Ｃｍへ供給するインジェクション配管２３と、を備えている。
【００１３】
スクロール圧縮機１００は、固定スクロール１上に設けられている吐出弁５と、吐出弁５上に設けられている弁押さえ６と、固定スクロール１上に設けられている消音マフラー７と、消音マフラー７を固定スクロール１上に固定する固定部材８と、を備えている。また、スクロール圧縮機１００は、密閉容器５０に固定されているサブフレーム９と、サブフレーム９に設けられ、シャフト４の下端部を支持する副軸受１０とを備えている。
【００１４】
密閉容器５０は、フレーム３、ステータＥ３１及びサブフレーム９が固定されている胴部５０Ａと、胴部５０Ａに圧入されている容器上部５０Ｂと、胴部５０Ａに圧入されている容器下部５０Ｃとを有している。胴部５０Ａには吸入管２１が挿入され、容器上部５０Ｂには吐出管２２及びインジェクション配管２３が挿入されている。容器下部５０Ｃには冷凍機油が貯留される底部油溜５０Ｃ１が形成されている。固定スクロール１は、第１渦巻体１Ａと、第１渦巻体１Ａに直交して設けられている第１台板１Ｂとを備えている。第１台板１Ｂには、圧縮機構部Ｃｍで圧縮した冷媒が流れる吐出通路１Ｄと、吐出通路１Ｄの上端部に設けられている吐出口１Ｄ１と、が形成されている。吐出口１Ｄ１には吐出弁５が設けられている。揺動スクロール２は第１渦巻体１Ａに組み合わせられている第２渦巻体２Ａと、第２渦巻体２Ａに直交して設けられている第２台板２Ｂと、シャフト４の上端部及びスライダ４Ｂが挿入されているボス部２Ｃと、を備えている。第２台板２Ｂは第１台板１Ｂに間隔をあけて設けられている。
【００１５】
図３に示すように、圧縮機構部Ｃｍには、吐出通路１Ｄに繋がっている冷媒圧縮室ＳＰ１と、冷媒圧縮室ＳＰ１よりも冷媒の流れ方向の上流側に設けられている冷媒吸入室ＳＰ２と、が形成されている。冷媒圧縮室ＳＰ１は、第１台板１Ｂと第２台板２Ｂとの間であって第１渦巻体１Ａと第２渦巻体２Ａとの間に形成されている。冷媒吸入室ＳＰ２は、第１台板１Ｂと第２台板２Ｂとの間に形成されている。冷媒圧縮室ＳＰ１は冷媒吸入室ＳＰ２の内側に配置され、冷媒吸入室ＳＰ２はフレーム３の内側であって冷媒圧縮室ＳＰ１の外側に配置されている。また、図２に示すように、密閉容器５０内の空間は、固定スクロール１よりも上側に形成され、冷媒圧縮室ＳＰ１で圧縮された冷媒が流れる上部空間ＳＰａと、フレーム３よりも下側に形成されている下部空間ＳＰｂとを有している。フレーム３は、揺動スクロール２を収容している。フレーム３には、シャフト４が挿入されている主軸受３Ａと、下部空間ＳＰｂと冷媒吸入室ＳＰ２とを連通する吸入通路３Ｂと、第１渦巻体１Ａ及び第２渦巻体２Ａを取り囲む内周面３Ｃと、が形成されている。
【００１６】
図４は、固定スクロール１の斜視図である。図４では、図３に示す固定スクロール１の上下を反転させた状態を示している。図５は、揺動スクロール２の斜視図である。図６は、図３に示すＢ−Ｂ断面図である。図４〜図６と先述した図２、３とに基づいて、固定スクロール１及び揺動スクロール２の構成について説明する。図３及び図４に示すように、固定スクロール１の第１台板１Ｂは、図２で説明した吐出弁５が設けられている上面部１Ｂ１と、第１渦巻体１Ａに繋がっている下面部１Ｂ２と、環状に形成されている周面部１Ｂ３とを備えている。また、図３及び図５に示すように、揺動スクロール２の第２台板２Ｂは、第１台板１Ｂの下面部１Ｂ２に向かい合っており、第２渦巻体２Ａに繋がっている上面部２Ｂ１と、ボス部２Ｃに繋がっている下面部２Ｂ２と、を備えている。固定スクロール１の第１台板１Ｂの下面部１Ｂ２及び揺動スクロール２の第２台板２Ｂの上面部２Ｂ１は、冷媒吸入室ＳＰ２に面している。
【００１７】
図４に示すように、固定スクロール１の第１渦巻体１Ａは、冷媒圧縮室ＳＰ１の一方の第１入口ｉｎ１を形成する第１外側端部１Ａ１と、図３で説明した吐出通路１Ｄの縁部に設けられている第１内側端部１Ａ２と、図示省略のシール材が挿入される渦巻状の第１溝部１Ａ３とを備えている。図６に示す状態において、第１入口ｉｎ１は閉じている。また、固定スクロール１の第１渦巻体１Ａは、第１台板１Ｂに直交している渦巻面１Ａ４と、渦巻面１Ａ４に並行に形成され、第１台板１Ｂに直交している渦巻面１Ａ５と、を備えている。渦巻面１Ａ４は、第１渦巻体１Ａと第２渦巻体２Ａとが組み合わせられた状態において第２渦巻体２Ａに接触しない第１壁面Ｓｒ１を有している。第１壁面Ｓｒ１は、図２で説明したフレーム３の内周面３Ｃに向かい合っている。第１渦巻体１Ａは、第１渦巻体１Ａのうち第１壁面Ｓｒ１が形成されている部分に設けられている第１壁面部１Ａ６を備えている。図６に示すように、第１壁面部１Ａ６は、冷媒吸入室ＳＰ２と冷媒圧縮室ＳＰ１とを隔てている。
【００１８】
図５に示すように、揺動スクロール２の第２渦巻体２Ａは、冷媒圧縮室ＳＰ１の他方の第２入口ｉｎ２を形成する第２外側端部２Ａ１と、図３で説明した吐出通路１Ｄの縁部に設けられている第２内側端部２Ａ２と、図示省略のシール材が挿入される渦巻状の第２溝部２Ａ３とを備えている。図６に示す状態において、第２入口ｉｎ２は閉じている。また、揺動スクロール２の第２渦巻体２Ａは、第２台板２Ｂに直交している渦巻面２Ａ４と、渦巻面２Ａ４に並行に形成され、第２台板２Ｂに直交している渦巻面２Ａ５と、を備えている。渦巻面２Ａ４は、第１渦巻体１Ａと第２渦巻体２Ａとが組み合わせられた状態において第１渦巻体１Ａに接触しない第２壁面Ｓｒ２を有している。第２壁面Ｓｒ２は、第１壁面Ｓｒ１と同様に、図２で説明したフレーム３の内周面３Ｃに向かい合っている。第２渦巻体２Ａは、第２渦巻体２Ａのうち第２壁面Ｓｒ２が形成されている部分に設けられている第２壁面部２Ａ６を備えている。図６に示すように、第２壁面部２Ａ６は、冷媒吸入室ＳＰ２と冷媒圧縮室ＳＰ１とを隔てている。
【００１９】
図７は、固定スクロール１を第１台板１Ｂの上面部１Ｂ１側から見た図である。図８は、固定スクロール１を第１台板１Ｂの下面部１Ｂ２側から見た図である。図９は、図８に示すＣ−Ｃ断面図である。図１０は、図８に示すＤ−Ｄ断面図である。図１１は、インジェクション通路１Ｅ及び吐出通路１Ｄの斜視図である。図１２は、インジェクション通路１Ｅ及び吐出通路１Ｄを固定スクロール１の第１台板１Ｂの上面部１Ｂ１側から見た図である。図７〜図１２と先述した図２とに基づいてインジェクション通路１Ｅ等の構成について説明する。固定スクロール１には、図２で説明したインジェクション配管２３に繋がっているインジェクション通路１Ｅが形成されている。また、固定スクロール１は、インジェクション通路１Ｅを塞ぐ漏れ防止部材１Ｃを備えている。漏れ防止部材１Ｃは固定スクロール１のうち周面部１Ｂ３側に設けられている。
【００２０】
インジェクション通路１Ｅは、上面部１Ｂ１から下面部１Ｂ２へ向かう方向へ延びる入口通路１Ｅ１と、入口通路１Ｅ１から分岐する一方の通路である第１分岐通路１Ｅ２ａと、入口通路１Ｅ１から分岐する他方の通路である第２分岐通路１Ｅ２ｂとを有している。また、インジェクション通路１Ｅは、インジェクション通路１Ｅの冷媒を冷媒吸入室ＳＰ２へ供給する出口通路１Ｅ３を有している。出口通路１Ｅ３は、第１分岐通路１Ｅ２ａに繋がっている第１出口通路１Ｅ３ａと、第２分岐通路１Ｅ２ｂに繋がっている第２出口通路１Ｅ３ｂとを有している。第１分岐通路１Ｅ２ａ及び第２分岐通路１Ｅ２ｂは、入口通路１Ｅ１の下端に繋がっている。また、第１分岐通路１Ｅ２ａ及び第２分岐通路１Ｅ２ｂは、入口通路１Ｅ１の下端から周面部１Ｂ３へ延びている。
【００２１】
第１分岐通路１Ｅ２ａと入口通路１Ｅ１とは直交しており、第２分岐通路１Ｅ２ｂと入口通路１Ｅ１とは直交している。また、図１０に示すように、第１出口通路１Ｅ３ａが延びる方向は、下面部１Ｂ２に対して鋭角をなしている。同様に、第２出口通路１Ｅ３ｂが延びる方向は、下面部１Ｂ２に対して鋭角をなしている。
下面部１Ｂ２には、第１出口通路１Ｅ３ａに繋がっており、冷媒吸入室ＳＰ２に開口している開口部Ｏｐ１と、第２出口通路１Ｅ３ｂに繋がっており、冷媒吸入室ＳＰ２に開口している開口部Ｏｐ２と、が形成されている。
【００２２】
第１分岐通路１Ｅ２ａの長さと第２分岐通路１Ｅ２ｂの長さとは同じである。また、第１出口通路１Ｅ３ａの長さと第２出口通路１Ｅ３ｂの長さも同じである。したがって、入口通路１Ｅ１、第１分岐通路１Ｅ２ａ及び第１出口通路１Ｅ３ａを併せた長さと、入口通路１Ｅ１、第２分岐通路１Ｅ２ｂ及び第２出口通路１Ｅ３ｂを併せた長さとは同じである。
【００２３】
図１３は、図２に示すＡ−Ａ断面図である。図１３に基づいて開口部Ｏｐ１及び開口部Ｏｐ２が形成されている位置について説明する。図１３に示す仮想線ｂｒ０は、第２渦巻体２Ａの第２外側端部２Ａ１、吐出通路１Ｄ、及び第１渦巻体１Ａの第１外側端部１Ａ１を通る。図１３に示す仮想線ｂｒ１は、冷媒圧縮室ＳＰ１の第１入口ｉｎ１が設けられている位置における第２壁面Ｓｒ２の接線である。図１３に示す仮想線ｂｒ２は、冷媒圧縮室ＳＰ１の第２入口ｉｎ２が設けられている位置における第１壁面Ｓｒ１の接線である。
【００２４】
図１３に示す領域Ｒｇ１は、仮想線ｂｒ０と、仮想線ｂｒ１と、フレーム３の内周面３Ｃとによって形成される扇状の領域である。図１３に示す領域Ｒｇ２は、仮想線ｂｒ０と、仮想線ｂｒ２と、フレーム３の内周面３Ｃとによって形成される扇状の領域である。開口部Ｏｐ１は領域Ｒｇ１に形成され、開口部Ｏｐ２は領域Ｒｇ２に形成されている。
【００２５】
図１４は、図６に示す仮想線Ｌ１における圧縮機構部Ｃｍの断面図である。図１５は、図１４に示す第１出口通路１Ｅ３ａの説明図である。図１５に示す仮想線ａｘ１は、第１出口通路１Ｅ３ａの中心を通り、且つ、第１出口通路１Ｅ３ａが延びる方向に平行である。また、図１５に示す仮想線Ｐ１は下面部１Ｂ２に平行である。図１５に示す角度φ１は、仮想線ａｘ１と仮想線Ｐ１とがなす角度である。図１５に示すように、仮想線ａｘ１の延長上には、第２壁面部２Ａ６及び冷媒圧縮室ＳＰ１が配置されている。すなわち、第１出口通路１Ｅ３ａの延長上には、第２壁面部２Ａ６及び冷媒圧縮室ＳＰ１が配置されている。
【００２６】
図１６は、第２渦巻体２Ａが、第１出口通路１Ｅ３ａの開口部Ｏｐ１から最も遠ざかった状態の説明図である。図１７は、第２渦巻体２Ａが、第１出口通路１Ｅ３ａの開口部Ｏｐ１に最も近づいた状態の説明図である。第２渦巻体２Ａは揺動運転をするため、第２壁面部２Ａ６は移動する。実施の形態１において、第２壁面部２Ａ６が移動しても、第１出口通路１Ｅ３ａの延長上には、第２壁面部２Ａ６及び冷媒圧縮室ＳＰ１が配置されていることについて説明する。図１６に示す仮想線ａｘ１１は、仮想線ａｘ１のうち第１出口通路１Ｅ３ａの上端に位置する点Ｐｔ１と、第２渦巻体２Ａが開口部Ｏｐ１から最も遠ざかったときにおける第２渦巻体２Ａの上端２Ａａと、を通る。図１６に示す角度φ１ａは、仮想線ａｘ１１と仮想線Ｐ１とがなす角度である。図１７に示す仮想線ａｘ１２は、点Ｐｔ１と、第２渦巻体２Ａが開口部Ｏｐ１に最も近づいたときにおける第２渦巻体２Ａの下端２Ａｂと、を通る。図１７に示す角度φ１ｂは、仮想線ａｘ１２と仮想線Ｐ１とがなす角度である。図１５で説明した角度φ１は、図１６に示す角度φ１ａ以上であって図１７に示す角度φ１ｂ以下となっている。このため、第２渦巻体２Ａが揺動運転をしても、第１出口通路１Ｅ３ａの延長上には、第２壁面部２Ａ６及び冷媒圧縮室ＳＰ１が配置されることになる。
【００２７】
ここで、図１７に示すように、第２渦巻体２Ａが第１出口通路１Ｅ３ａの開口部Ｏｐ１に最も近づいた状態においても、第１出口通路１Ｅ３ａは第２渦巻体２Ａによって塞がれていない。つまり、第２渦巻体２Ａが第１出口通路１Ｅ３ａの開口部Ｏｐ１に最も近づいた状態において、第１出口通路１Ｅ３ａの開口部Ｏｐ１の全体は、第２渦巻体２Ａの外側に設けられている。換言すると、第１出口通路１Ｅ３ａの開口部Ｏｐ１は、第２渦巻体２Ａが揺動運動をしたときに第２渦巻体２Ａが下面部１Ｂ２を掃討する領域の外側に設けられている。
【００２８】
図１８は、図１４に示す第２出口通路１Ｅ３ｂの説明図である。第２出口通路１Ｅ３ｂの延長上には、第１壁面部１Ａ６が設けられている。図１８に示す仮想線ａｘ２は、第２出口通路１Ｅ３ｂの中心を通り、且つ、第２出口通路１Ｅ３ｂが延びる方向に平行である。図１８に示す角度φ２は、仮想線ａｘ２と仮想線Ｐ１とがなす角度である。図１８に示すように、仮想線ａｘ２の延長上には、第１壁面部１Ａ６が設けられている。すなわち、第２出口通路１Ｅ３ｂの延長上には、第１壁面部１Ａ６が設けられている。
【００２９】
図１８に示す仮想線ａｘ２１は、仮想線ａｘ２のうち第２出口通路１Ｅ３ｂの上端に位置する点Ｐｔ２と、第１渦巻体１Ａの上端１Ａａと、を通る。図１８に示す角度φ２ａは、仮想線ａｘ２１と仮想線Ｐ１とがなす角度である。図１８に示す仮想線ａｘ２２は、点Ｐｔ２と、第１渦巻体１Ａの下端１Ａｂと、を通る。図１８に示す角度φ２ｂは、仮想線ａｘ２２と仮想線Ｐ１とがなす角度である。角度φ２は、角度φ２ａ以上であって角度φ２ｂ以下である。
【００３０】
＜実施の形態１の動作＞
図１９は、第１渦巻体１Ａの第１外側端部１Ａ１と第２渦巻体２Ａとが離間し、且つ、第２渦巻体２Ａの第２外側端部２Ａ１と第１渦巻体１Ａとが離間している様子を模式的に示している。図１９に示す状態において、第１渦巻体１Ａの第１外側端部１Ａ１と第２渦巻体２Ａとが離間しているので第１入口ｉｎ１開いており、また、第２渦巻体２Ａの第２外側端部２Ａ１と第１渦巻体１Ａとが離間しているので第２入口ｉｎ２は開いている。冷媒吸入室ＳＰ２には、開口部Ｏｐ１及び開口部Ｏｐ２からインジェクション用の冷媒が供給されるとともに、図２で説明した下部空間ＳＰｂ及び吸入通路３Ｂを流れてきた冷媒が供給されている。図１９に示す状態において、開口部Ｏｐ１から冷媒吸入室ＳＰ２へ供給された冷媒は、第２壁面部２Ａ６の第２壁面Ｓｒ２に衝突した後に、第２壁面Ｓｒ２に沿って流れ、第１入口ｉｎ１へ流入する。また、開口部Ｏｐ２から冷媒吸入室ＳＰ２へ供給された冷媒は、第１壁面部１Ａ６の第１壁面Ｓｒ１に衝突した後に、第１壁面Ｓｒ１に沿って流れ、第２入口ｉｎ２へ流入する。更に、下部空間ＳＰｂ及び吸入通路３Ｂを流れてきた冷媒も、第１入口ｉｎ１及び第２入口ｉｎ２へ流入する。
【００３１】
図２０は、第２渦巻体２Ａが図１９に示す位置から移動した様子を模式的に示している。図２０に示す状態において、第１入口ｉｎ１及び第２入口ｉｎ２は開いているが、第１入口ｉｎ１及び第２入口ｉｎ２は図１９に示す状態よりも閉じている。図２０に示す状態においても、開口部Ｏｐ１から冷媒吸入室ＳＰ２へ供給された冷媒は、第２壁面部２Ａ６の第２壁面Ｓｒ２に衝突した後に、第２壁面Ｓｒ２に沿って流れ、第１入口ｉｎ１へ流入する。また、開口部Ｏｐ２から冷媒吸入室ＳＰ２へ供給された冷媒は、第１壁面部１Ａ６の第１壁面Ｓｒ１に衝突した後に、第１壁面Ｓｒ１に沿って流れ、第２入口ｉｎ２へ流入する。更に、下部空間ＳＰｂ及び吸入通路３Ｂを流れてきた冷媒も、第１入口ｉｎ１及び第２入口ｉｎ２へ流入する。また、図２０における第２渦巻体２Ａと開口部Ｏｐ１との距離Ｄｔは、図１９における第２渦巻体２Ａと開口部Ｏｐ１との距離Ｄｔよりも、小さくなっている。
【００３２】
図２１は、第１渦巻体１Ａの第１外側端部１Ａ１と第２渦巻体２Ａとが当接し、且つ、第２渦巻体２Ａの第２外側端部２Ａ１と第１渦巻体１Ａとが当接している様子を模式的に示している。図２１に示す状態において、第１入口ｉｎ１及び第２入口ｉｎ２は閉じている。このため、冷媒吸入室ＳＰ２の冷媒は冷媒圧縮室ＳＰ１へ流入しない。図２０に示す状態において、冷媒圧縮室ＳＰ１内の冷媒は、吸入通路３Ｂから冷媒吸入室ＳＰ２へ流入した冷媒だけではなく、開口部Ｏｐ１及び開口部Ｏｐ２から冷媒吸入室ＳＰ２へ流入した冷媒を含んでいる。冷媒圧縮室ＳＰ１内の冷媒は、渦巻状に移動をしながら吐出通路１Ｄへ近づいていく。また、図２１における第２渦巻体２Ａと開口部Ｏｐ１との距離Ｄｔは、図２０における第２渦巻体２Ａと開口部Ｏｐ１との距離Ｄｔよりも、小さくなっている。図２１に示す状態において、第２渦巻体２Ａは、第１出口通路１Ｅ３ａの開口部Ｏｐ１に最も近づいている。つまり、図２１に示す状態は、先述した図１７に示す状態に対応している。
【００３３】
図２２は、第２渦巻体２Ａが図２１に示す位置から移動した様子を模式的に示している。図２２に示す状態において、第１入口ｉｎ１及び第２入口ｉｎ２は閉じている。また、図２２に示す状態において、冷媒圧縮室ＳＰ１の最内部の圧力は図２で説明した吐出弁１１を押し上げる程度まで上昇しており、その結果、吐出口１Ｄ１は開放される。これにより、冷媒圧縮室ＳＰ１の最内部の冷媒は、図２で説明した吐出通路１Ｄを通って、消音マフラー７内の空間に流入する。また、図２２における第２渦巻体２Ａと開口部Ｏｐ１との距離Ｄｔは、図２１における第２渦巻体２Ａと開口部Ｏｐ１との距離Ｄｔよりも、大きくなっている。
【００３４】
＜実施の形態１の効果＞
実施の形態１に係るスクロール圧縮機１００は冷媒吸入室ＳＰ２へ冷媒を供給するインジェクション通路１Ｅが形成されている。つまり、実施の形態１に係るスクロール圧縮機１００は冷媒吸入室ＳＰ２にインジェクションを行う構成である。このため、従来のスクロール圧縮機の構成すなわち冷媒圧縮室ＳＰ１にインジェクションを行う構成と比較して、実施の形態１に係るスクロール圧縮機１００の構成は、インジェクションを行ったときの冷媒圧縮室ＳＰ１の圧力の上昇を抑制することができる。具体的には、従来のスクロール圧縮機の構成において、液冷媒が冷媒圧縮室ＳＰ１で膨張しやすいので、その分、冷媒圧縮室ＳＰ１の圧力が上昇しやすい。一方、実施の形態１に係るスクロール圧縮機１００の構成は、冷媒吸入室ＳＰ２にインジェクションを行う構成である。このため、液冷媒が冷媒吸入室ＳＰ２で膨張することになる。つまり、液冷媒が冷媒圧縮室ＳＰ１で膨張してしまうことが抑制される。その結果、冷媒圧縮室ＳＰ１の圧力の上昇が抑制される。そして、冷媒圧縮室ＳＰ１の圧力の上昇が抑制されるので、揺動スクロール２の動きが妨げられることが抑制される。このように、スクロール圧縮機１００は揺動スクロール２の動きが妨げられることが抑制されるので、スクロール圧縮機１００の圧縮機効率は向上する。
【００３５】
従来のスクロール圧縮機の構成すなわち冷媒圧縮室ＳＰ１にインジェクションを行う構成において、冷媒圧縮室ＳＰ１で圧縮した冷媒は、インジェクションを行っていないときに、インジェクション通路に逃げてしまう。ここで、インジェクション通路は冷媒の圧縮に寄与しない。つまり、従来のスクロール圧縮機の構成において、冷媒圧縮室ＳＰ１で圧縮した冷媒はインジェクションを行っていないときにインジェクション通路に逃げてしまうので、その分、従来のスクロール圧縮機の圧縮機効率は低下する。一方、上述のように、実施の形態１に係るスクロール圧縮機１００は冷媒吸入室ＳＰ２にインジェクションを行う構成である。このため、実施の形態１に係るスクロール圧縮機１００の圧縮機効率は、従来のスクロール圧縮機の圧縮機効率よりも、向上している。
【００３６】
インジェクション通路１Ｅは直線状に延びている出口通路１Ｅ３を有しており、出口通路１Ｅ３の延長上には冷媒圧縮室ＳＰ１が配置されている。このため、冷媒吸入室ＳＰ２へのインジェクションを実施した場合において、出口通路１Ｅ３から冷媒吸入室ＳＰ２へ供給された冷媒は、冷媒圧縮室ＳＰ１が配置されている領域へ向かって流れる。したがって、出口通路１Ｅ３から冷媒吸入室ＳＰ２へ供給された冷媒は、すみやかに冷媒圧縮室ＳＰ１へ導かれることとなる。つまり、出口通路１Ｅ３から冷媒吸入室ＳＰ２へ供給された冷媒が吸入通路３Ｂを介して底部油溜５０Ｃ１へ流出してしまうことが抑制され、その結果、底部油溜５０Ｃ１の冷凍機油が冷媒で希釈されてしまうことが抑制される。このように、冷媒吸入室ＳＰ２へのインジェクションを実施しても底部油溜５０Ｃ１の冷凍機油が冷媒で希釈されてしまうことが抑制されるので、冷媒吸入室ＳＰ２へのインジェクションを実施しても圧縮機構部Ｃｍの摺動部の潤滑が不十分になることが抑制される。
【００３７】
出口通路１Ｅ３の延長上には冷媒圧縮室ＳＰ１が配置されている。このため、出口通路１Ｅ３から冷媒吸入室ＳＰ２に流入した冷媒がすみやかに冷媒圧縮室ＳＰ１へ導かれることとなる。つまり、インジェクション通路１Ｅから冷媒圧縮室ＳＰ１への冷媒の供給が確実化され、インジェクションの効率が向上する。したがって、スクロール圧縮機１００は、インジェクションする冷媒の量を低減することができる。
また、スクロール圧縮機１００はインジェクションする冷媒の量を低減することができるため、冷凍サイクル装置２００の冷媒回路の冷媒流量の低減が抑制される。このため、冷凍サイクル装置２００の運転効率が向上する。
【００３８】
インジェクション通路１Ｅが固定スクロール１に形成されているため、その分、インジェクション通路１Ｅの出口、すなわち開口部Ｏｐ１及び開口部Ｏｐ２は、冷媒圧縮室ＳＰ１に近くなる。したがって、インジェクション通路１Ｅから冷媒吸入室ＳＰ２へ流入した冷媒が、冷媒圧縮室ＳＰ１が配置されている領域に向かう過程において、冷媒の流束が拡がることが抑制される。よって、スクロール圧縮機１００の構成は、冷媒吸入室ＳＰ２の冷媒が吸入通路３Ｂを介して底部油溜５０Ｃ１へ流出してしまうことを抑制しやすい構成であり、圧縮機構部Ｃｍの摺動部の潤滑が不十分になることを抑制しやすい構成である。
【００３９】
インジェクション通路１Ｅが固定スクロール１に形成されているので、固定スクロール１はインジェクション配管２３から供給される冷媒によって冷却される。これにより、固定スクロール１の熱膨張が抑制される。したがって、第１渦巻体１Ａと第２台板２Ｂとが接触しにくくなるとともに第２渦巻体２Ａと第１台板１Ｂとが接触しにくくなり、その結果、圧縮機構部Ｃｍの摺動部の摩耗が抑制される。
【００４０】
インジェクション通路１Ｅは直線状に延びている出口通路１Ｅ３を有しており、出口通路１Ｅ３の延長上には冷媒圧縮室ＳＰ１が配置されているので、出口通路１Ｅ３から冷媒吸入室ＳＰ２へ供給された冷媒は、すみやかに冷媒圧縮室ＳＰ１へ導かれることとなる。つまり、出口通路１Ｅ３から冷媒吸入室ＳＰ２へ供給された冷媒は、フレーム３に接触しにくくなっている。このため、フレーム３は、出口通路１Ｅ３から冷媒吸入室ＳＰ２へ供給された冷媒によって冷却されることが抑制される。したがって、フレーム３の熱収縮が抑制される。ここで、フレーム３が熱収縮すると、フレーム３のうち揺動スクロール２と摺動する面が上昇する場合がある。フレーム３のうち揺動スクロール２と摺動する面が上昇すると、揺動スクロール２も上昇するため、第１渦巻体１Ａと第２台板２Ｂとが接触しやすくなるとともに第２渦巻体２Ａと第１台板１Ｂとが接触しやすくなり、その結果、圧縮機構部Ｃｍの摺動部の摩耗が進行してしまう。しかし、スクロール圧縮機１００のフレーム３は出口通路１Ｅ３から冷媒吸入室ＳＰ２へ供給された冷媒によって冷却されることが抑制されるので、フレーム３のうち揺動スクロール２と摺動する面が上昇することが抑制される。このため、圧縮機構部Ｃｍの摺動部の摩耗の進行が抑制される。
【００４１】
第１渦巻体１Ａの歯先及び第２台板２Ｂは摺動する。また、第２渦巻体２Ａの歯先及び第１台板１Ｂも摺動する。つまり、第１渦巻体１Ａの歯先及び第２台板２Ｂと、第２渦巻体２Ａの歯先及び第１台板１Ｂは、圧縮機構部Ｃｍの摺動部である。ここで、出口通路１Ｅ３の延長上には、第１渦巻体１Ａ又は第２渦巻体２Ａが配置されている。このため、インジェクションされた冷媒は、第１渦巻体１Ａの歯先と第２台板２Ｂとの間、又は、第２渦巻体２Ａの歯先と第１台板１Ｂとの間、に流入しにくい。したがって、スクロール圧縮機１００は、インジェクションされた冷媒が第１渦巻体１Ａの歯先と第２台板２Ｂとの間の冷凍機油、又は、第２渦巻体２Ａの歯先と第１台板１Ｂとの間の冷凍機油を洗い流してしまうことが、抑制されている。このように、冷凍機油が冷媒によって洗い流されてしまうことが抑制されるので、固定スクロール１と揺動スクロール２との間のシール性が向上し、且つ、固定スクロール１と揺動スクロール２とが滑らかに摺動する。その結果、スクロール圧縮機１００の圧縮機効率は向上する。
【００４２】
第１出口通路１Ｅ３ａの延長上には第２渦巻体２Ａの第２壁面部２Ａ６が設けられ、第２出口通路１Ｅ３ｂの延長上には第１渦巻体１Ａの第１壁面部１Ａ６が設けられている。このため、第１出口通路１Ｅ３ａから冷媒吸入室ＳＰ２に流入した冷媒は、第２壁面部２Ａ６に衝突した後に第２壁面部２Ａ６に沿って流れて冷媒圧縮室ＳＰ１に供給され、第２出口通路１Ｅ３ｂから冷媒吸入室ＳＰ２に流入した冷媒は、第１壁面部１Ａ６に衝突した後に第１壁面部１Ａ６に沿って流れて冷媒圧縮室ＳＰ１に供給される。したがって、第１出口通路１Ｅ３ａ及び第２出口通路１Ｅ３ｂから冷媒吸入室ＳＰ２に流入した冷媒が、よりすみやかに冷媒圧縮室ＳＰ１へ導かれる。すなわち、第１出口通路１Ｅ３ａ及び第２出口通路１Ｅ３ｂから冷媒吸入室ＳＰ２に流入した冷媒が、吸入通路３Ｂを介して底部油溜５０Ｃ１へ流出してしまうことをより抑制することができる。よって、スクロール圧縮機１００は、底部油溜５０Ｃ１の冷凍機油が冷媒で希釈されてしまうことがより抑制され、スクロール圧縮機１００の摺動部の潤滑が不十分になることがより抑制される。
【００４３】
上述のように、第１出口通路１Ｅ３ａから冷媒吸入室ＳＰ２に流入した冷媒は、第２壁面部２Ａ６に衝突した後に第２壁面部２Ａ６に沿って流れて冷媒圧縮室ＳＰ１に供給され、第２出口通路１Ｅ３ｂから冷媒吸入室ＳＰ２に流入した冷媒は、第１壁面部１Ａ６に衝突した後に第１壁面部１Ａ６に沿って流れて冷媒圧縮室ＳＰ１に供給される。つまり、冷媒吸入室ＳＰ２には、第１入口ｉｎ１から冷媒が流入するとともに、第２入口ｉｎ２から冷媒が流入する。このため、冷媒圧縮室ＳＰ１のうち第１入口ｉｎ１から吐出通路１Ｄまでの空間の冷媒量と、冷媒圧縮室ＳＰ１のうち第２入口ｉｎ２から吐出通路１Ｄまでの空間の冷媒量とが、偏ってしまうことが抑制される。その結果、冷媒圧縮室ＳＰ１の圧力バランスが良くなる。冷媒圧縮室ＳＰ１の圧力バランスが良くなることで、揺動スクロール２がフレーム３に対して傾いてしまうことが抑制され、揺動スクロール２とフレーム３との接触圧力の増大が抑制される。その結果、揺動スクロール２の摩耗及びフレーム３の摩耗の進行が抑制される。このように、冷媒吸入室ＳＰ２には第１入口ｉｎ１から冷媒が流入するとともに、第２入口ｉｎ２から冷媒が流入するので、揺動スクロール２の摩耗及びフレーム３の摩耗の進行が抑制される。
【００４４】
インジェクション通路１Ｅは、インジェクション配管２３に繋がっている入口通路１Ｅ１と、上流端が入口通路１Ｅ１に繋がっており、下流端が第１出口通路１Ｅ３ａに繋がっている第１分岐通路１Ｅ２ａと、上流端が入口通路１Ｅ１に繋がっており、下流端が第２出口通路１Ｅ３ｂに繋がっている第２分岐通路１Ｅ２ｂとを有している。これにより、インジェクション配管２３からインジェクション通路１Ｅを供給された冷媒が、第１出口通路１Ｅ３ａと第２出口通路１Ｅ３ｂとに分配される。
【００４５】
第１分岐通路１Ｅ２ａの長さと第２分岐通路１Ｅ２ｂの長さとは同じであり、第１出口通路１Ｅ３ａの長さと第２出口通路１Ｅ３ｂの長さとは同じである。このため、入口通路１Ｅ１、第１分岐通路１Ｅ２ａ及び第１出口通路１Ｅ３ａからなる冷媒通路の圧力損失と、入口通路１Ｅ１、第２分岐通路１Ｅ２ｂ及び第２出口通路１Ｅ３ｂからなる冷媒通路の圧力損失とに差が生じることが抑制される。したがって、冷媒圧縮室ＳＰ１のうち第１入口ｉｎ１から吐出通路１Ｄまでの空間の冷媒量と、冷媒圧縮室ＳＰ１のうち第２入口ｉｎ２から吐出通路１Ｄまでの空間の冷媒量とが、偏ることが更に抑制される。その結果、冷媒圧縮室ＳＰ１の圧力バランスが更に良くなり、揺動スクロール２がフレーム３に対して傾いてしまうことが更に抑制され、揺動スクロール２とフレーム３との接触圧力の増大が更に抑制される。よって、揺動スクロール２の摩耗及びフレーム３の摩耗の進行が更に抑制される。なお、第１分岐通路１Ｅ２ａの長さと第２分岐通路１Ｅ２ｂの長さとが異なり、または第１出口通路１Ｅ３ａの長さと第２出口通路１Ｅ３ｂの長さとが異なるときは、例えば、通路の太さを異ならせることで、インジェクションする冷媒の量を調整することができる。すなわち、第１分岐通路１Ｅ２ａ、第２分岐通路１Ｅ２ｂ、第１出口通路１Ｅ３ａ、または第２出口通路１Ｅ３ｂの太さを異ならせて、開口部Ｏｐ１及び開口部Ｏｐ２から供給される冷媒の量を均一化することができる。
【００４６】
第２渦巻体２Ａが開口部Ｏｐ１に最も近づいた状態において、開口部Ｏｐ１の全体は、第２渦巻体２Ａの外側に配置されている。これにより、第２渦巻体２Ａが開口部Ｏｐ１を塞いでしまうことがない。このため、冷媒を、開口部Ｏｐ１から冷媒吸入室ＳＰ２を介して冷媒圧縮室ＳＰ１へ安定的にインジェクションすることができる。さらに、第１出口通路１Ｅ３ａに異物等が詰まることが抑制される。更に、第２渦巻体２Ａの歯先が開口部Ｏｐ１を跨がない構成となっているため、第２渦巻体２Ａの歯先の損傷のおそれ等が抑制されている。
【００４７】
実施の形態２．
実施の形態２では、実施の形態１と共通する部分は同一の符号を付して説明を省略し、実施の形態１との相違点を中心に説明する。
【００４８】
＜実施の形態２の構成＞
図２３は、実施の形態２に係るスクロール圧縮機１２０の断面図である。図２４は、開口部Ｏｐａ及び開口部Ｏｐｂの配置の説明図である。図２５は、図２３に示すＥ−Ｅ断面図である。図２６は、インジェクション通路１ＥＥ、吐出通路２１Ｄ及び凹状部２２Ｄの斜視図である。図２７は、インジェクション通路１ＥＥ、吐出通路１Ｄ及び凹状部２２Ｄを上側から見た図である。図２３に示すように、実施の形態２に係るスクロール圧縮機１２０は、固定スクロール１上に設けられている板状部３０を備えている。図２６及び図２７に示すように、板状部３０には、吐出管１２２が挿入される開口部３１が形成されている。また、板状部３０には、インジェクション配管１２３が挿入されている通路３２と、通路３２から分岐している円弧状の通路３３Ａと、通路３２から分岐している円弧状の通路３３Ｂと、が形成されている。
【００４９】
固定スクロール１のインジェクション通路１ＥＥは、上下方向に延びる通路１Ｆａと、通路１Ｆａに平行に延びる通路１Ｆｂとを備えている。また、インジェクション通路１ＥＥは、インジェクション通路１ＥＥの冷媒を冷媒吸入室ＳＰ２へ供給する出口通路１Ｇを有している。出口通路１Ｇは、通路１Ｆａに繋がっている第１出口通路１Ｇａと、通路１Ｆｂに繋がっている第２出口通路１Ｇｂとを有している。開口部Ｏｐａ及び開口部Ｏｐｂは冷媒吸入室ＳＰ２に開口している。第１出口通路１Ｇａの延長上には、冷媒圧縮室ＳＰ１の第１入口ｉｎ１が配置され、第２出口通路１Ｇｂの延長上には、冷媒圧縮室ＳＰ１の第２入口ｉｎ２が配置されている。つまり、図２４、図２６及び図２７に示すように、第１出口通路１Ｇａの仮想線ａｘ１の延長上には第１入口ｉｎ１が配置され、第２出口通路１Ｇｂの仮想線ａｘ２の延長上には第２入口ｉｎ２が配置されている。言い換えると、第１出口通路１Ｇａは第１入口ｉｎ１に向いており、第２出口通路１Ｇｂは第２入口ｉｎ２に向いている。また、固定スクロール１には、上下方向に延びる吐出通路２１Ｄと、吐出口２１Ｄ１と、吐出弁５及び弁押さえ６が設けられている凹状部２２Ｄと、が形成されている。
【００５０】
＜実施の形態２の動作＞
図２８は、第２渦巻体２Ａの第２外側端部２Ａ１と第１渦巻体１Ａとが離間している様子を模式的に示している。先述した図２３、図２６及び図２７と、図２８とを参照して実施の形態２の動作を説明する。図２３、図２６及び図２７に示すように、冷媒ＦＬ１はインジェクション配管１２３及び通路３２を通過した後に、通路３３Ａを流れる冷媒ＦＬ２ａと通路３３Ｂを流れる冷媒ＦＬ２ｂとに分流する。通路３３Ａを流れる冷媒ＦＬ２ａは第１出口通路１Ｇａを介して冷媒吸入室ＳＰ２へ流入し、通路３３Ｂを流れる冷媒ＦＬ２ｂは第２出口通路１Ｇｂを介して冷媒吸入室ＳＰ２へ流入する。
【００５１】
図２８に示す状態において、第１入口ｉｎ１及び第２入口ｉｎ２は開いている。冷媒吸入室ＳＰ２には、第１出口通路１Ｇａの開口部Ｏｐａ及び第２出口通路１Ｇｂの開口部Ｏｐｂからインジェクション用の冷媒が供給されるとともに、図２で説明した下部空間ＳＰｂ及び吸入通路３Ｂを流れてきた冷媒が供給されている。図２８に示す状態において、開口部Ｏｐａから冷媒吸入室ＳＰ２へ供給された冷媒は、第１入口ｉｎ１へ向かい、第１入口ｉｎ１へ流入する。また、開口部Ｏｐｂから冷媒吸入室ＳＰ２へ供給された冷媒は、第２入口ｉｎ２へ向かい、第２入口ｉｎ２へ流入する。
【００５２】
＜実施の形態２の効果＞
実施の形態２に係るスクロール圧縮機１２０は、実施の形態１に係るスクロール圧縮機１００と同様の効果を有している。具体的には、第１出口通路１Ｇａの延長上には冷媒圧縮室ＳＰ１の第１入口ｉｎ１が配置され、第２出口通路１Ｇｂの延長上には、冷媒圧縮室ＳＰ１の第２入口ｉｎ２が配置されている。言い換えると、第１出口通路１Ｇａは第１入口ｉｎ１に向いており、第２出口通路１Ｇｂは第２入口ｉｎ２に向いている。このため、第１出口通路１Ｇａから冷媒吸入室ＳＰ２へ供給された冷媒は、第１入口ｉｎ１へ向かい、第２出口通路１Ｇｂから冷媒吸入室ＳＰ２へ供給された冷媒は、第２入口ｉｎ２へ向かう。これにより、第１出口通路１Ｇａ及び第２出口通路１Ｇｂから冷媒吸入室ＳＰ２に流入した冷媒が、よりすみやかに冷媒圧縮室ＳＰ１へ導かれる。すなわち、第１出口通路１Ｇａ及び第２出口通路１Ｇｂから冷媒吸入室ＳＰ２に流入した冷媒が、吸入通路３Ｂを介して底部油溜５０Ｃ１へ流出してしまうことをより抑制することができる。よって、スクロール圧縮機１２０は、底部油溜５０Ｃ１の冷凍機油が冷媒で希釈されてしまうことがより抑制され、スクロール圧縮機１２０の摺動部の潤滑が不十分になることがより抑制される。
【符号の説明】
【００５３】
１  固定スクロール、１Ａ  第１渦巻体、１Ａ１  第１外側端部、１Ａ２  第１内側端部、１Ａ３  第１溝部、１Ａ４  渦巻面、１Ａ５  渦巻面、１Ａ６  第１壁面部、１Ａａ  上端、１Ａｂ  下端、１Ｂ  第１台板、１Ｂ１  上面部、１Ｂ２  下面部、１Ｂ３  周面部、１Ｃ  防止部材、１Ｄ  吐出通路、１Ｄ１  吐出口、１Ｅ  インジェクション通路、１Ｅ１  入口通路、１Ｅ２ａ  第１分岐通路、１Ｅ２ｂ  第２分岐通路、１Ｅ３  出口通路、１Ｅ３ａ  第１出口通路、１Ｅ３ｂ  第２出口通路、１ＥＥ  インジェクション通路、１Ｆａ  通路、１Ｆｂ  通路、１Ｇ  出口通路、１Ｇａ  第１出口通路、１Ｇｂ  第２出口通路、２  揺動スクロール、２Ａ  第２渦巻体、２Ａ１  第２外側端部、２Ａ２  第２内側端部、２Ａ３  第２溝部、２Ａ４  渦巻面、２Ａ５  渦巻面、２Ａ６  第２壁面部、２Ａａ  上端、２Ａｂ  下端、２Ｂ  第２台板、２Ｂ１  上面部、２Ｂ２  下面部、２Ｃ  ボス部、３  フレーム、３Ａ  主軸受、３ＡＡ  スリーブ、３Ｂ  吸入通路、３Ｃ  内周面、４  シャフト、４Ａ  偏芯軸部、４Ｂ  スライダ、５  吐出弁、６  弁押さえ、７  消音マフラー、８  固定部材、９  サブフレーム、１０  副軸受、１１  吐出弁、２１  吸入管、２１Ｄ  吐出通路、２１Ｄ１  吐出口、２２  吐出管、２２Ｄ  凹状部、２３  インジェクション配管、３０  板状部、３１  開口部、３２  通路、３３Ａ  通路、３３Ｂ  通路、５０  密閉容器、５０Ａ  胴部、５０Ｂ  容器上部、５０Ｃ  容器下部、５０Ｃ１  底部油溜、１００  スクロール圧縮機、１０１  凝縮器、１０１Ａ  送風機、１０２  絞り装置、１０３  蒸発器、１０３Ａ  送風機、１０４  熱交換器、１０５  絞り装置、１２０  スクロール圧縮機、１２２  吐出管、１２３  インジェクション配管、２００  冷凍サイクル装置、Ｃｍ  圧縮機構部、Ｃｎｔ  制御装置、Ｅ３１  ステータ、Ｅ３２  ロータ、Ｅｍ  駆動機構部、Ｌ１  仮想線、Ｏｐ１  開口部、Ｏｐ２  開口部、Ｏｐａ  開口部、Ｏｐｂ  開口部、Ｐ１  仮想線、Ｒｇ１  領域、Ｒｇ２  領域、ＳＰ１  冷媒圧縮室、ＳＰ２  冷媒吸入室、ＳＰａ  上部空間、ＳＰｂ  下部空間、Ｓｒ１  第１壁面、Ｓｒ２  第２壁面、ｉｎ１  第１入口、ｉｎ２  第２入口。
【図１】
2019150421.tif 000003
【図２】
2019150421.tif 000004
【図３】
2019150421.tif 000005
【図４】
2019150421.tif 000006
【図５】
2019150421.tif 000007
【図６】
2019150421.tif 000008
【図７】
2019150421.tif 000009
【図８】
2019150421.tif 000010
【図９】
2019150421.tif 000011
【図１０】
2019150421.tif 000012
【図１１】
2019150421.tif 000013
【図１２】
2019150421.tif 000014
【図１３】
2019150421.tif 000015
【図１４】
2019150421.tif 000016
【図１５】
2019150421.tif 000017
【図１６】
2019150421.tif 000018
【図１７】
2019150421.tif 000019
【図１８】
2019150421.tif 000020
【図１９】
2019150421.tif 000021
【図２０】
2019150421.tif 000022
【図２１】
2019150421.tif 000023
【図２２】
2019150421.tif 000024
【図２３】
2019150421.tif 000025
【図２４】
2019150421.tif 000026
【図２５】
2019150421.tif 000027
【図２６】
2019150421.tif 000028
【図２７】
2019150421.tif 000029
【図２８】
2019150421.tif 000030
【手続補正書】
【提出日】令和2年4月30日(2020.4.30)
【手続補正１】
【補正対象書類名】明細書
【補正対象項目名】０００７
【補正方法】変更
【補正の内容】
【０００７】
本発明に係るスクロール圧縮機は、密閉容器と、冷媒圧縮室と前記冷媒圧縮室よりも冷媒の流れ方向の上流側に設けられている冷媒吸入室とが形成され、前記密閉容器内に設けられている圧縮機構部と、前記密閉容器に挿入されているインジェクション配管と、を備え、前記圧縮機構部は、前記冷媒圧縮室の冷媒が流入する吐出通路が形成されている第１台板と、前記第１台板に設けられている第１渦巻体とを有する固定スクロールと、前記第１台板に間隔をあけて設けられている第２台板と、前記第２台板に設けられ、前記第１渦巻体との間に前記冷媒圧縮室を形成する第２渦巻体とを有する揺動スクロールとを備え、前記第１台板には、前記冷媒吸入室へ冷媒を供給するインジェクション通路が形成され、前記インジェクション通路は、前記冷媒吸入室に開口しており、直線状に延びている出口通路を有し、前記出口通路の延長上には、前記冷媒圧縮室が配置されているものであり、前記出口通路は、直線状に延びている第１出口通路と、前記冷媒吸入室に開口しており、直線状に延びている第２出口通路とを有し、前記インジェクション通路は、前記インジェクション配管に繋がっている入口通路と、上流端が前記入口通路に繋がっており、下流端が前記第１出口通路に繋がっている第１分岐通路と、上流端が前記入口通路に繋がっており、下流端が前記第２出口通路に繋がっている第２分岐通路とを有している。
【手続補正２】
【補正対象書類名】特許請求の範囲
【補正対象項目名】全文
【補正方法】変更
【補正の内容】
【特許請求の範囲】
【請求項１】
密閉容器と、
冷媒圧縮室と前記冷媒圧縮室よりも冷媒の流れ方向の上流側に設けられている冷媒吸入室とが形成され、前記密閉容器内に設けられている圧縮機構部と、
前記密閉容器に挿入されているインジェクション配管と、
を備え、
前記圧縮機構部は、
前記冷媒圧縮室の冷媒が流入する吐出通路が形成されている第１台板と、前記第１台板に設けられている第１渦巻体とを有する固定スクロールと、
前記第１台板に間隔をあけて設けられている第２台板と、前記第２台板に設けられ、前記第１渦巻体との間に前記冷媒圧縮室を形成する第２渦巻体とを有する揺動スクロールとを備え、
前記第１台板には、前記冷媒吸入室へ冷媒を供給するインジェクション通路が形成され、
前記インジェクション通路は、前記冷媒吸入室に開口しており、直線状に延びている出口通路を有し、
前記出口通路の延長上には、前記冷媒圧縮室が配置されているものであり、
前記出口通路は、直線状に延びている第１出口通路と、前記冷媒吸入室に開口しており、直線状に延びている第２出口通路とを有し、
前記インジェクション通路は、前記インジェクション配管に繋がっている入口通路と、上流端が前記入口通路に繋がっており、下流端が前記第１出口通路に繋がっている第１分岐通路と、上流端が前記入口通路に繋がっており、下流端が前記第２出口通路に繋がっている第２分岐通路とを有している
スクロール圧縮機。
【請求項２】
前記出口通路の延長上には、前記第１渦巻体又は前記第２渦巻体が配置されている
請求項１に記載のスクロール圧縮機。
【請求項３】
前記第１台板は、前記冷媒吸入室に面している下面部を有し、
前記下面部には、前記出口通路に繋がっている開口部が形成され、
前記第２渦巻体が前記開口部に最も近づいた状態において、前記開口部の全体は、前記第２渦巻体の外側に配置されている
請求項１又は２に記載のスクロール圧縮機。
【請求項４】
前記第１渦巻体は、前記冷媒吸入室と前記冷媒圧縮室とを隔てている第１壁面部を有し、
前記第２渦巻体は、前記冷媒吸入室と前記冷媒圧縮室とを隔てている第２壁面部を有し、
前記第１出口通路の延長上には、前記第２壁面部が配置され、
前記第２出口通路の延長上には、前記第１壁面部が配置されている
請求項１〜請求項３の何れか一項に記載のスクロール圧縮機。
【請求項５】
前記冷媒圧縮室は、前記冷媒吸入室の冷媒が前記冷媒圧縮室へ流入するときに通過する第１入口と、前記冷媒吸入室の冷媒が前記冷媒圧縮室へ流入するときに通過する第２入口とを有し、
前記第１壁面部は、前記第２渦巻体との間に前記第１入口を形成する第１外側端部を有し、
前記第２壁面部は、前記第１渦巻体との間に前記第２入口を形成する第２外側端部を有し、
前記第１出口通路は、前記第１入口に向いており、
前記第２出口通路は、前記第２入口に向いている
請求項４に記載のスクロール圧縮機。
【請求項６】
前記冷媒圧縮室は、前記冷媒吸入室の冷媒が前記冷媒圧縮室へ流入するときに通過する第１入口と、前記冷媒吸入室の冷媒が前記冷媒圧縮室へ流入するときに通過する第２入口とを有し、
前記第１渦巻体は、前記冷媒吸入室と前記冷媒圧縮室とを隔てている第１壁面部を有し、
前記第１壁面部は、前記第２渦巻体との間に前記第１入口を形成する第１外側端部を有し、
前記第２渦巻体は、前記冷媒吸入室と前記冷媒圧縮室とを隔てている第２壁面部を有し、
前記第２壁面部は、前記第１渦巻体との間に前記第２入口を形成する第２外側端部を有し、
前記第１出口通路は、前記第１入口に向いており、
前記第２出口通路は、前記第２入口に向いている
請求項１〜請求項３の何れか一項に記載のスクロール圧縮機。
【請求項７】
前記冷媒圧縮室は、前記冷媒吸入室の冷媒が前記冷媒圧縮室へ流入するときに通過する第１入口と、前記冷媒吸入室の冷媒が前記冷媒圧縮室へ流入するときに通過する第２入口とを有し、
前記第１渦巻体は、前記冷媒吸入室と前記冷媒圧縮室とを隔てている第１壁面部を有し、
前記第１壁面部は、前記第２渦巻体との間に前記第１入口を形成する第１外側端部を有し、
前記第２渦巻体は、前記冷媒吸入室と前記冷媒圧縮室とを隔てている第２壁面部を有し、
前記第２壁面部は、前記第１渦巻体との間に前記第２入口を形成する第２外側端部を有し、
前記第１出口通路の延長上には、前記冷媒圧縮室の前記第１入口が配置され、
前記第２出口通路の延長上には、前記冷媒圧縮室の前記第２入口が配置されている
請求項１〜請求項３の何れか一項に記載のスクロール圧縮機。
【請求項８】
前記第１分岐通路の上流端及び前記第２分岐通路の上流端は、前記入口通路の下流端に繋がっており、
前記第１分岐通路の長さと前記第２分岐通路の長さとは同じであり、
前記第１出口通路の長さと前記第２出口通路の長さとは同じである
請求項１〜請求項７の何れか一項に記載のスクロール圧縮機。
【国際調査報告】
2019150421.tif 000031
2019150421.tif 000032
2019150421.tif 000033